(57)【要約】【課題】手間の掛からない電気式床暖房システムの施工を可能とする。【解決手段】テープの両面に接着面が形成され、根太と根太との間隔に合わせて複数のマーク２１が等間隔に施され、接着面のうち一側接着面２２が、根太上に載置された捨張り上面に貼付され、他側接着面２３のマーク２１以外の部分２６には発熱シートが貼付される。【選択図】　　　　図１
2004092973.tif 000002
【特許請求の範囲】
【請求項１】
テープに接着面が形成され、複数のマークが所定間隔で施され、前記マークに合わせて発熱シートが根太上に載置された捨張り上に貼付されることを特徴とする床暖房発熱シート位置決め用テープ。
【請求項２】
テープの両面に接着面が形成され、複数のマークが等間隔に施され、前記接着面のうち一側接着面が、前記根太上に載置された捨張り上面に貼付され、他側接着面には前記マークに合わせて発熱シートが貼付されることを特徴とする床暖房発熱シート位置決め用テープ。
【請求項３】
請求項１又は２に記載の床暖房発熱シート位置決め用テープにおいて、
前記マークとして、前記テープには文字、記号、もしくは図形が記され、または色分けもしくは切欠きが施されていることを特徴とする床暖房発熱シート位置決め用テープ。
【請求項４】
請求項１又は２に記載の床暖房発熱シート位置決め用テープにおいて、
前記マークとして、前記接着面の剥離紙には切込み線が入れられ、前記剥離紙が前記接着面から剥がされたとき、一部分の剥離紙が前記切込み線に沿って分離され前記接着面上に残ることを特徴とする床暖房発熱シート位置決め用テープ。
【請求項５】
請求項４に記載の床暖房発熱シート位置決め用テープにおいて、
前記切込み線はテープ長手方向に沿って複数入れられ、かつ前記接着面は、前記切込み線に対応してテープ長手方向に沿って複数の領域に分割され、その分割領域の各々には、複数のマークが分割領域毎に間隔が異なって設けられていることを特徴とする床暖房発熱シート位置決め用テープ。
【請求項６】
請求項１乃至５のいずれか１項に記載の床暖房発熱シート位置決め用テープにおいて、
前記マークは根太の上方に位置するように設けられていることを特徴とする床暖房発熱シート位置決め用テープ。
【請求項７】
請求項１乃至６のいずれか１項に記載の床暖房発熱シート位置決め用テープにおいて、
前記マークは、前記根太の幅の少なくとも中央部上方に位置するよう設けられていることを特徴とする床暖房発熱シート位置決め用テープ。
【請求項８】
先ず、根太の上方に位置するよう複数のマークが等間隔に施された両面テープの一側接着面を捨張り上面に貼付し、次に、前記両面テープの他側接着面に前記マークに合わせて発熱シートを貼付することを特徴とする床暖房システムの施工方法。
【請求項９】
請求項８に記載の床暖房システムの施工方法において、
前記発熱シート貼付後、前記発熱シートの上に床パネルを載せて、前記発熱シートと発熱シートとの隙間を辿りながら前記床パネルに釘を打ち、前記床パネルを固定することを特徴とする床暖房システムの施工方法。
【発明の詳細な説明】
【０００１】
【発明の属する技術分野】
本発明は床暖房発熱シートの位置決めに用いられるテープ、およびそのテープを用いたときの床暖房システムの施工方法に関する。
【０００２】
【従来の技術】
床暖房システムは足元から暖めるため、冬場でも快適な生活を実現でき、近年、人気が上昇しつつある。このような床暖房システムとしては、温水式のものと電気式のものがある。そして、電気式の床暖房システムの中には、仕上げ材等の床パネル内部にヒータを設置したタイプと、仕上げ材下側に発熱シートを設置したタイプとが知られている。
【０００３】
上記の床暖房システムのうち、発熱シートを設置した電気式の床暖房システムは、図１２および図１３に示すように、根太１上に載置された捨張り２と仕上げ材３との間に複数枚の発熱シート４が平行に配置され、各発熱シート４に取り付けられたリード線５にコントロールユニット６から電力を供給することにより、各発熱シート４を発熱させて仕上げ材３を暖めるようになっている。
【０００４】
また、電気式の床暖房システムを施工する際には、先ず、大引き７上に設けられた複数の根太１の上に捨張り２を載置し、この捨張り２上面に、図１４に示すように、根太１に合わせて複数の墨出し線９を付ける。このとき、基準線９Ａを基準にして墨出し線９を付けていく。次に、墨出し線９に沿って複数枚の発熱シート４を平行に敷くとともに、各発熱シート４を粘着テープ１０で捨張り２上に固定し、その後、発熱シート４上に仕上げ材３を載せ、仕上げ材３に釘を打って、仕上げ材３を固定するようにしている。なお、図１３において、１１は捨張り２の底面側に敷き詰められた断熱材である。
【０００５】
【発明が解決しようとする課題】
しかしながら、上記従来の技術では、捨張り上に墨出し線を付けたり、各発熱シートを粘着テープで捨張り上に固定したりする作業があって、床暖房システムの施工は手間の掛かる作業となっている。特に、仕上げ材を釘で固定する場合は、墨出し線に沿って釘を打って、釘先端を根太に打ち込む必要があるが、もし墨出し線が根太の位置からずれてしまっていると、釘先端が根太に当たらず仕上げ材を強固に固定できない。このため、捨張り上に墨出し線を付ける作業は慎重に行われ、手間が掛かっている。
【０００６】
本発明は、手間を掛けずに、電気式の床暖房システムを施工できるようにすることを課題とする。
【０００７】
【課題を解決するための手段】
上記課題を解決するために、本発明の床暖房発熱シート位置決め用テープは、テープに接着面が形成され、複数のマークが所定間隔で施され、前記マークに合わせて発熱シートが根太上に載置された捨張り上に貼付されることを特徴としている。
【０００８】
上記構成によれば、施工者はテープに施されたマークに合わせて発熱シートを貼付していくだけで、各発熱シートの位置決めを容易に行うことができる。
【０００９】
また、本発明の床暖房発熱シート位置決め用テープは、テープの両面に接着面が形成され、複数のマークが等間隔に施され、前記接着面のうち一側接着面が、前記根太上に載置された捨張り上面に貼付され、他側接着面には前記マークに合わせて発熱シートが貼付されることを特徴としている。
【００１０】
上記構成の場合は、テープ上の基準点を捨張り上の基準位置（この基準位置は設計図面から分かる）に合致させ、テープが根太に対して直角になるように調整しながらテープの一側接着面を捨張り上に貼付し、その後に他側接着面の剥離紙を剥がす。根太上に捨張りが載置されていると、発熱シートを捨張り上面に敷く際に、施工者は根太の位置が分からないが、複数のマークの間隔を根太の間隔に合わせて施しておけば、他側接着面の剥離紙を剥がすことにより、施工者は複数のマークを確認し、根太の位置を容易に知ることができる。
【００１１】
本発明では、前記マークとして、前記テープには文字、記号、もしくは図形が記され、または色分けもしくは切欠きが施されていることを特徴としている。
【００１２】
また、本発明では、前記マークとして、前記接着面の剥離紙には切込み線が入れられ、前記剥離紙が前記接着面から剥がされたとき、一部分の剥離紙が前記切込み線に沿って分離され前記接着面上に残ることを特徴としている。
【００１３】
また、本発明では、前記切込み線はテープ長手方向に沿って複数入れられ、かつ前記接着面は、前記切込み線に対応してテープ長手方向に沿って複数の領域に分割され、その分割領域の各々には、複数のマークが分割領域毎に間隔が異なって設けられていることを特徴としている。
【００１４】
例えば、尺モジュール、メーターモジュール、およびその他のモジュールでは、根太と根太との間隔が異なっている。そこで、接着面上の上記分割領域の各々に、尺モジュール、メーターモジュール、およびその他のモジュールをそれぞれ対応させて、間隔の異なるマークを設けておく。このように構成すれば、１種類のテープで複数のモジュールに対応できる。
【００１５】
また、本発明では、前記マークは根太の上方に位置するように設けられていることを特徴としている。このようにすれば、テープを捨張り上面に貼付した際、マークが根太の位置を示すことになり、施工者はマークを確認することにより、根太の位置を容易に知ることができる。
【００１６】
また、本発明では、前記マークは、前記根太の幅の少なくとも中央部上方に位置するよう設けられていることを特徴としている。これにより、発熱シートを根太間に均等に敷き込むことができるとともに、複数の幅の根太にも同一のテープで対応できる。
【００１７】
また、本発明の床暖房システムの施工方法は、先ず、根太の上方に位置するよう複数のマークが等間隔に施された両面テープの一側接着面を捨張り上面に貼付し、次に、前記両面テープの他側接着面に前記マークに合わせて発熱シートを貼付することを特徴としている。
【００１８】
上記施工方法においては、前記発熱シート貼付後、前記発熱シートの上に床パネルを載せて、前記発熱シートと発熱シートとの隙間を辿りながら前記床パネルに釘を打ち、前記床パネルを固定することができる。
【００１９】
【発明の実施の形態】
以下、本発明の実施の形態を図面に従って説明する。
図１は本発明に係る床暖房発熱シート位置決め用テープ２０を示している。このテープ２０には、根太の少なくとも一部分に相当するように複数のマーク２１が等間隔に施されている。テープ２０は両面粘着テープであり、両面に接着面を有し、図１のように引き出した状態では、上面側が一側接着面２２で、下面側が他側接着面２３である。通常、マーク２１は他側接着面２３に施されている。テープ２０本体が透明材料で形成されていれば、マーク２１が一側接着面２２に施されていても良い。
【００２０】
テープ２０はロール芯２４に巻き取られている。そして、他側接着面２３の表面には剥離紙２５が設けられている。図１では、テープ２０がロール芯２４に巻き取られた構成であるので、他側接着面２３の表面にのみ剥離紙２５が設けられているが、ロール芯２４に巻き取られていない構成の場合は、一側接着面２２および他側接着面２３の双方に剥離紙２５を設けられる。
【００２１】
図１のテープ２０本体は樹脂製であり、マーク２１は、黒色、白色、灰色、またはカラーで、矩形状に形成されている。マーク２１以外の部分（この部分には発熱シートが貼付される）２６は透明をなしている。
【００２２】
マーク２１は、図２（ａ）に示すように、根太の幅の中央部に相当するよう設けられている。そして、根太の幅の中央部に相当する部分に「根太」という文字が、発熱シートに相当する部分に「発熱シート」という文字が交互に仕切られて表示されている。なお、根太の幅の中央部に相当する部分は根太の幅よりも短く設定されている。また、図２（ａ）では文字と仕切り線を設けたが、仕切り線だけでも良い。
【００２３】
また、マーク２１としては、記号（または図形）を記したものであってもよい。図２（ｂ）においては、記号が表示されている部分と根太の幅が等しくなっている。記号は、根太の少なくとも一部分の上方に位置するようになっていればよい。さらに記号は識別できるものであれば、丸形、三角形、四角形、六角形やその他の記号であってもよい。
【００２４】
また、図３に示すように、根太の幅の少なくとも中央部上方に位置する部分を（赤色）に、その他の部分を（白色）に交互に色分けしたりしてもよい。この場合、（赤色）や（白色）以外の色を用いることもできる。なお、マーク２１以外の部分２６を透明にしたのが図１の例である。マーク２１は根太の横幅の中央部分に相当する。
【００２５】
また、図４に示すように、マーク２１としてテープ両側端部に切欠き２７を設けるようにしてもよい。なお、切欠き２７はテープの一側端部（図４において、上側端部または下側端部）に設けることもできる。また、マーク２１以外の部分２６に切欠き２７を設けることもできる。
【００２６】
図２〜４のように、マーク２１が根太の幅の中央部分に相当するよう設けられていれば、尺モジュール、メーターモジュール等のモジュール毎に根太の間隔は同一であるため、複数の幅の根太に同一のテープで対応できる。なお、図２〜４において、仮想線は根太を示しており、例えば図３では、幅Ｗ１の根太と、幅Ｗ２（Ｗ２＜Ｗ１）の根太を示している。
【００２７】
また、図５に示すように、他側接着面２３の剥離紙２５に根太に合わせて四角形に切込み線２８を入れておき、剥離紙２５を他側接着面２３から引き剥がしたときに、四角形の切込み線２８で囲まれた部分２５Ａが、剥離紙２５から分離されて他側接着面２３上に残るようにしても良い。他側接着面２３上の部分２５Ａはマーク２１を構成している。なお、剥がした剥離紙２５には、部分２５Ａが抜けて穴２５Ｂが形成されている。部分２５Ａも根太の幅の中央部分に相当するように設けられており、マーク２１で前述したように複数の幅の根太に対応できる。
【００２８】
さらに、図６に示すように、他側接着面２３をテープ長手方向に沿って複数の領域に分割し、その分割領域の各々に間隔が異なるマーク２１Ｃ，２１Ｄ，２１Ｅを設けるとともに、図７に示すように、他側接着面２３の剥離紙２５に前記分割領域に合わせてテープ長手方向に沿って切込み線２９を入れておいても良い。そして、例えばマーク２１Ｃが尺モジュールを、マーク２１Ｄがメーターモジュールを、２１Ｅがその他のモジュールをそれぞれ示しているとき、尺モジュールで施工する際には、マーク２１Ｃが記された箇所の剥離紙２５Ｃを剥がすようにする。なお、マーク２１Ｄが記された箇所の剥離紙２５Ｄと、マーク２１Ｅが記された箇所の剥離紙２５Ｅは剥がさないで、そのままにしておく。
【００２９】
図８は発熱シート３０の外観斜視図である。発熱シート３０は長方形をなしており、その短辺中央部には２本のリード線３１が図示してないビニールで被覆されて取り付けられている。発熱シート３０は、図９に示すように、複数の電極箔３２の間に半導体インク３３が塗布された絶縁防水ゴムフィルム不織布３４と、均熱板（アルミテープ）３５が形成された絶縁防水ゴムフィルム不織布３６と、絶縁防止保護層３７とを備えている。なお、電極箔３２はリード線３１に接続されている。
【００３０】
次に、上記構成のテープ２０を用いたときの床暖房システムの施工手順について説明する。先ず、図１１に示すように、大引き４０の上に設けられた複数の根太４１上には捨張り４２が載置されている。この捨張り４２の上面に複数の発熱シート３０を敷く際に、図１０に示すように、テープ２０の先端を基準線４３に合致させ、そのテープ２０の一側接着面２２を捨張り４２の上面に貼付する。図１０において、左右方向は大引きが設置された方向を、上下方向は根太が設置された方向をそれぞれ示している。したがって、テープ２０は大引きが設置された方向に平行に貼付される。
【００３１】
テープ２０を捨張り４２の上面に貼付したら、他側接着面２３の剥離紙２５を剥がす。他側接着面２３には根太４１と根太４１との間隔に合わせて複数のマーク２１が等間隔に施されており、剥離紙２５を剥がすと、テープ２０の上面には複数のマーク２１が現れる。
【００３２】
次に、テープ２０のうちマーク２１以外の部分２６の上に発熱シート３０を載置する。テープ２０の他側接着面２３も粘着性を有しているので、マーク２１以外の部分２６に発熱シート３０を載置すると、発熱シート３０はテープ２０に貼り付いて捨張り４２上面に固定される。図１１はこのときの様子を示した断面図である。
【００３３】
そして最後に、発熱シート３０の上に仕上げ材（図示省略）等の床パネルを載せて、発熱シート３０と発熱シート３０との隙間を辿りながら仕上げ材に釘を打ち、仕上げ材を固定する。このとき、発熱シート３０と発熱シート３０との隙間は根太４１の位置に合致しており、釘の先端が根太４１に打ち込まれるので、仕上げ材を強固に固定できる。なお、図１１において、４４は大引き４０を支える束であり、４５は捨張り４２の底面側に敷き詰められた断熱材である。
【００３４】
本実施の形態によれば、捨張り４２上面にテープ２０を貼付して剥離紙２５を剥がすことにより、マーク２１が現れるので、根太４１の位置を容易に知ることができる。また、マーク２１以外の部分２６が粘着性を有するので、発熱シート３０を敷いたときに発熱シート３０が固定され、仕上げ材を載せる際に発熱シート３０が位置ずれするのを、従来のように複数の墨出し線と粘着テープ等を使用しなくても、防ぐことができる。
【００３５】
本実施の形態では、テープ２０が両面粘着テープである場合について説明してきたが、テープ２０は片面粘着テープでも良い。この場合は、一側接着面２２が接着面となり、他側面（他側接着面２３に相当）は粘着性を有しない。そして、例えば前記他側面にマーク２１を表示しておけば、テープ２０を捨張り４２上に貼付したときに、施工者は、マーク２１を確認することにより根太の位置を容易に知ることができる。また、片面粘着テープを徐々に広げて、マーク２１を確認しながら発熱シート３０を位置決めして捨張り４２上に貼付していくことも可能である。
【００３６】
【発明の効果】
以上説明したように、本発明によれば、捨張り上面にテープを貼付して剥離紙を剥がすことによって、根太の位置を容易に知ることができるとともに、テープの上に発熱シートを敷くだけで発熱シートが位置決めされ、手間を掛けずに、電気式の床暖房システムを施工することができる。
【図面の簡単な説明】
【図１】本発明に係る床暖房発熱シート位置決め用テープの斜視図である。
【図２】（ａ），（ｂ）ともに文字によって根太の位置を示すようにしたテープの接着面平面図である。
【図３】色分けによって根太の位置を示すようにしたテープの接着面平面図である。
【図４】切欠きによって根太の位置を示すようにしたテープの接着面平面図である。
【図５】接着面上に残った剥離紙の一部によって根太の位置を示すようにしたテープの斜視図である。
【図６】マーク間隔が異なるテープの接着面平面図である。
【図７】図６のテープから一つの剥離紙を剥がしたときの様子を示す斜視図である。
【図８】発熱シートの斜視図である。
【図９】発熱シートの内部構造図である。
【図１０】本発明に係るテープを用いて発熱シートを敷いていく様子を示す図である。
【図１１】図１０のＡ−Ａ線に沿った断面図である。
【図１２】発熱シートが敷かれた様子を示す斜視図である。
【図１３】図１２のＢ−Ｂ線に沿った断面図である。
【図１４】従来技術によって発熱シートを敷いていく様子を示す図である。
【符号の説明】
２０　床暖房発熱シート位置決め用テープ
２１，２１Ｃ，２１Ｄ，２１Ｅ　マーク
２２　一側接着面
２３　他側接着面
２５　剥離紙
２６　マーク以外の部分
２７　切欠き
２８，２９　切込み線
３０　発熱シート
４１　根太
４２　捨張り
【図１】
2004092973.tif 000003
【図２】
2004092973.tif 000004
【図３】
2004092973.tif 000005
【図４】
2004092973.tif 000006
【図５】
2004092973.tif 000007
【図６】
2004092973.tif 000008
【図７】
2004092973.tif 000009
【図８】
2004092973.tif 000010
【図９】
2004092973.tif 000011
【図１０】
2004092973.tif 000012
【図１１】
2004092973.tif 000013
【図１２】
2004092973.tif 000014
【図１３】
2004092973.tif 000015
【図１４】
2004092973.tif 000016